(57)【要約】【課題】本発明は、ワイヤレス充電可能な磁気浮上スピーカーを提供することを目的とする。【解決手段】本発明の磁気浮上スピーカーは、ベースと、前記ベースの上に浮く本体と、を備える。前記ベースは、シェルと、前記シェルに収納されるワイヤレス充電送り端と、コントローラ及び下側磁性体と、を有する。前記本体は、蓋体と、前記蓋体に収納される上側磁性体と、ワイヤレス充電受け取り端と、を備える。前記上側磁性体の磁性が前記下側磁性体の磁性と異なる。【選択図】図５
2016111696.tif 000002
【特許請求の範囲】
【請求項１】
シェルと、前記シェルに収納されるワイヤレス充電送り端、コントローラ及び下側磁性体と、を有するベースと、
前記ベースの上に浮き、蓋体と、前記蓋体に収納される上側磁性体と、ワイヤレス充電受け取り端と、を有する本体と、
を備え、
前記上側磁性体の磁性が前記下側磁性体の磁性と異なり、前記ワイヤレス充電送り端が通電される時、前記ワイヤレス充電送り端は前記本体に向かって充電することを特徴とする磁浮スピーカー。
【請求項２】
前記ベースには電力提供装置が配置され、前記ワイヤレス充電送り端が充電された後、前記電力提供装置によって電力が提供され、前記本体に電力を提供し続けることを特徴とする請求項１に記載の磁浮スピーカー。
【請求項３】
前記ワイヤレス充電受け取り端が環状で形成され、前記上側磁性体を包囲し、前記ワイヤレス充電送り端が環状で形成され、前記下側磁性体を包囲することを特徴とする請求項１又は２に記載の磁浮スピーカー。
【請求項４】
前記本体には、低音ユニット及び全音域ユニットが設置され、前記蓋体が、上蓋部及び下蓋部によって組み立てられ、前記低音ユニット及び全音域ユニットが前記上蓋部に固定され、前記上側磁性体及びワイヤレス充電受け取り端が、前記下蓋部に固定されることを特徴とする請求項１から３のいずれか一項に記載の磁浮スピーカー。
【請求項５】
前記下蓋部には、環状のリブが形成され、前記リブによって、収納スペースが形成され、前記上側磁性体及びワイヤレス充電受け取り端が、前記収納スペースに収納されることを特徴とする請求項４に記載の磁浮スピーカー。
【請求項６】
前記ベースのシェルは、天蓋部及び底蓋部によって組み立てられ、前記ワイヤレス充電送り端及び下側磁性体が、前記天蓋部に収納され、前記コントローラが前記底蓋部に固定されることを特徴とする請求項１から５のいずれか一項に記載の磁浮スピーカー。
【請求項７】
前記ベースの天蓋部には、前記ワイヤレス充電送り端及び下側磁性体を保持する保持部が設けられることを特徴とする請求項１から６のいずれか一項に記載の磁浮スピーカー。
【発明の詳細な説明】
【技術分野】
【０００１】
本発明は、磁気浮上スピーカーに関し、特に、ワイヤレス充電可能な磁気浮上スピーカーに関するものである。
【背景技術】
【０００２】
従来の磁気浮上スピーカーは、下側磁性体を含むベースと、上側磁性体を含む本体と、を備える。前記上側磁性体の磁性は、下側磁性体の磁性と異なる。磁性相互排斥の原理によって、前記本体は、前記ベースの上方に浮く。外部の電源によって、前記ベースが充電される。
【先行技術文献】
【特許文献】
【０００３】
【特許文献１】台湾登録実用新案第Ｍ４８６９２０号明細書
【発明の概要】
【発明が解決しようとする課題】
【０００４】
従来技術の磁気浮上スピーカーは、外部の電源によって、充電される。このような磁気浮上スピーカーは使用するのに便利ではない。
【０００５】
そこで、本発明の目的は、ワイヤレス充電可能な磁気浮上スピーカーを提供することにある。
【課題を解決するための手段】
【０００６】
前記目的を達成するために、本発明の磁気浮上スピーカーは、ベースと、前記ベースの上に浮く本体と、を備える。前記ベースは、シェルと、前記シェルに収納されるワイヤレス充電送り端、コントローラ及び下側磁性体と、を有する。前記本体は、蓋体と、前記蓋体に収納される上側磁性体と、ワイヤレス充電受け取り端と、を備える。前記上側磁性体の磁性が前記下側磁性体の磁性と異なる。
【発明の効果】
【０００７】
従来の技術と比べると、本発明は以下の長所を有する。前記磁気浮上スピーカーは、ワイヤレス充電受け取り端を有する。ワイヤレス充電送り端が通電される時、前記ワイヤレス充電送り端は前記本体に向かって充電する。前記磁気浮上スピーカーは、ワイヤレス充電可能である。
【図面の簡単な説明】
【０００８】
【図１】本発明の磁気浮上スピーカーの組立斜視図である。
【図２】図１に示す磁気浮上スピーカーの本体の分解斜視図である。
【図３】図１に示す磁気浮上スピーカーのベースの分解斜視図である。
【図４】図３に示す磁気浮上スピーカーの天蓋部の斜視図である。
【図５】図１に示す磁気浮上スピーカーをＡ−Ａ線に沿って切断した断面図である。
【発明を実施するための形態】
【０００９】
図１及び図５に示すように、本発明の磁気浮上スピーカー１００は、テーブル等の物体に載置されるベース２と、前記ベース２の上に浮く本体１と、を備える。前記ベース２は、前記テーブルに支持される複数の支持部２６２を有する。
【００１０】
図１及び図２に示すように、前記本体１は、上蓋部１１及び下蓋部１７によって組み立てられる蓋体１０と、前記蓋体１０に収納される低音ユニット１３と、少なくとも二つの全音域ユニット１２と、基板１４と、環状のワイヤレス充電受け取り端１５と、上側磁性体１６と、を備える。前記上蓋部１１には、第１貫通孔１１２と、前記第１貫通孔１１２の周囲に形成される複数の第２貫通孔１１１と、が形成される。前記下蓋部１７には、環状のリブ１７０が形成される。前記リブ１７０によって、収納スペース１７０１が形成される。
【００１１】
前記低音ユニット１３と二つの全音域ユニット１２とはそれぞれ、前記第１貫通孔１１２と第２貫通孔１１１とに収納される。前記低音ユニット１３の上表面は、前記全音域ユニット１２の上表面よりも上方に位置する。前記低音ユニット１３が前記第１貫通孔１１２の下方に位置し（すなわち、第１貫通孔１１２から突出しない）、前記第１貫通孔１１２から露出される。前記全音域ユニット１２が、第２貫通孔１１１の下方に位置し（すなわち、第２貫通孔１１１から突出しない）、前記第２貫通孔１１１から露出される。図５に示すように、低音ユニット１３は、上方向Ｘに向かって配置される。前記二つの全音域ユニット１２は、上方向Ｘに対して傾斜した方向Ｙ、Ｚに向かって配置される。方向Ｙ、Ｚと方向Ｘとの間の角度は、９０度より小さい。これにより、弧状の音場が形成される。音波が弧状の密閉空間に反射され、似ている音質、音量が発生する。前記磁気浮上スピーカー１００の周囲の使用者は、似ている音を聞く。
【００１２】
前記基板１４と、環状のワイヤレス充電受け取り端１５と、上側磁性体１６と、は、下蓋部１７の収納スペース１７０１に収納される。前記上側磁性体１６が、ワイヤレス充電受け取り端１５に包囲される。基板１４は、ワイヤレス充電受け取り端１５及び上側磁性体１６の上に配置される。
【００１３】
図１、図３及び図４に示すように、前記ベース２は、天蓋部２１及び底蓋部２６によって組み立てられるシェル２０と、前記シェル２０に収納される超重低音ユニット２５と、回路基板３０と、前記回路基板３０に半田接続されるブルートゥース（登録商標）モジュール２４及びスピーカーユニット２９と、コントローラ２７と、環状のワイヤレス充電送り端２３と、電力提供装置２８と、下側磁性体２２と、を有する。前記天蓋部２１には、保持部２１０と、充電装置と電気接続する電線を通すための窪所２１２と、が設けられる。前記底蓋部２６には、露出孔２６０が形成される。
【００１４】
前記下側磁性体２２は、ワイヤレス充電送り端２３に包囲される。前記下側磁性体２２及びワイヤレス充電送り端２３は、前記天蓋部２１の保持部２１０に保持される。前記超重低音ユニット２５と、ブルートゥースモジュール２４及びスピーカーユニット２９と、回路基板３０と、コントローラ２７と、は、前記底蓋部２６に固定される。下側磁性体２２と前記超重低音ユニット２５から発生する音は、前記スピーカーユニット２９によって大きくなり且つ広がる。前記上側磁性体１６の磁性は、下側磁性体２２の磁性と異なる。前記超重低音ユニット２５は、前記露出孔２６０から露出される。前記天蓋部２１には、ＬＥＤモジュール２１１が設けられる。
【００１５】
前記ベース２のワイヤレス充電送り端２３が充電された後、電力提供装置２８によって電力が提供され、本体１に電力を提供する。ブルートゥースモジュール２４及び電力提供装置２８は、基板１４に制御される。
【００１６】
図１及び図５に示すように、本体１の上側磁性体１６の磁性は、ベース２の下側磁性体２２の磁性と異なる。磁性相互排斥の原理によって、前記本体１は、前記ベース２の上で浮く。これにより、前記本体１が前記ベース２の空間を占めないとともに、広い音域が得られる。前記本体１は、コントローラ２７によって、前記ベース２の上に安定して浮く。前記低音ユニット１３及び全音域ユニット１２が前記本体１に配置され、前記超重低音ユニット２５が前記ベース２に配置されることによって、前記スピーカー１００は、良い音の効果が得られる。前記ワイヤレス充電送り端２３が電気接続される時、前記ワイヤレス充電送り端２３は前記本体１に向かって充電する。ワイヤレス充電機能が実現される。前記ベース２には、電力提供装置２８が配置される。前記ベース２が充電された後、電力提供装置２８によって電力が提供され、本体１に電力を提供し続ける。前記ベース２が外部電源から外れたとしても、前記スピーカー１００を使用できる。前記スピーカー１００はブルートゥースモジュール２４を備える。前記ブルートゥースモジュール２４によって、外部からの音声信号を受ける。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１００  磁気浮上スピーカー
１  本体
１０  蓋体
１１  上蓋部
１１１  第２貫通孔
１１２  第１貫通孔
１２  全音域ユニット
１３  低音ユニット
１４  基板
１５  ワイヤレス充電受け取り端
１６  上側磁性体
１７  下蓋部
１７０  リブ
１７０１  収納スペース
２  ベース
２０  シェル
２１  天蓋部
２１０  保持部
２１１  ＬＥＤモジュール
２１２  窪所
２２  下側磁性体
２３  ワイヤレス充電送り端
２４  ブルートゥースモジュール
２５  超重低音ユニット
２６  底蓋部
２６０  露出孔
２６２  支持部
２７  コントローラ
２８  電力提供装置
２９  スピーカーユニット
３０  回路基板
【図１】
2016111696.tif 000003
【図２】
2016111696.tif 000004
【図３】
2016111696.tif 000005
【図４】
2016111696.tif 000006
【図５】
2016111696.tif 000007